(57)【特許請求の範囲】
【請求項１】
格納サーバと、前記格納サーバに再生データを登録する端末とに接続されるデータ再生装置であって、
前記格納サーバにおけるデータ格納領域と前記端末とを対応付けて記憶する記憶部と、
前記格納サーバにおけるデータ格納領域を管理し、前記データ格納領域を割当てることを要求する割当要求信号を前記端末から受信した場合、管理するデータ格納領域のなかから前記端末に割り当てるデータ格納領域を決定して前記記憶部に記憶させる領域割当部と、
前記端末に割り当てるデータ格納領域を含む、前記割当要求信号に対する応答である返信信号を作成して前記端末に送信する格納先情報生成部と、
前記格納サーバから送信されてきた再生データを再生する再生部とを有することを特徴とするデータ再生装置。
【請求項２】
請求項１に記載のデータ再生装置において、
前記記憶部は、前記データ格納領域として割当可能な前記格納サーバ上の記憶領域を示す格納先候補情報をあらかじめ記憶し、
前記領域割当部は、前記端末が前記領域の割当を要求した場合、前記格納先候補情報に基づいて前記データ格納領域を該端末へ割当てることを特徴とするデータ再生装置。
【請求項３】
請求項１または２に記載のデータ再生装置において、
前記格納先情報生成部は、前記格納サーバが前記端末の認証に用いる認証情報を生成し、前記領域割当部が前記データ格納領域を前記端末へ割当てた場合、前記返信信号に前記認証情報を含めて前記端末へ送信することを特徴とするデータ再生装置。
【請求項４】
請求項１乃至３のいずれか１項に記載のデータ再生装置において、
前記再生データを暗号化または復号化するための鍵を生成する鍵生成部と、
前記鍵を用いて暗号化された再生データが前記格納サーバから送信されてきた場合、該暗号化された再生データを該鍵を用いて復号化する復号化部とを有し、
前記領域割当部は、前記返信信号に前記鍵を含めて前記返信信号として前記端末へ送信し、
前記再生部は、前記復号化部が復号化した再生データを再生することを特徴とするデータ再生装置。
【請求項５】
請求項１乃至４のいずれか１項に記載のデータ再生装置において、
前記割当要求信号および前記割当要求信号に対する応答である返信信号は電子メールであることを特徴とするデータ再生装置。
【請求項６】
格納サーバと、データ再生装置と、前記格納サーバに前記再生データを登録する端末と、が接続されたデータ再生システムにおいて、
前記端末は、
前記データ再生装置に対して、前記格納サーバに、前記データ再生装置が再生する再生データを格納するデータ格納領域を割当てることを要求する割当要求信号を送信する割当要求部と、
前記割当要求信号に対する前記データ再生装置からの返信信号を受信した後に、該返信信号に示されている前記データ格納領域を指定する入力を受け付けると、前記データ格納領域へ前記再生データを送信するデータ送信部と、
前記格納サーバに対して、前記データ格納領域に格納されている前記再生データを前記データ再生装置へ送信する指示を行う送信指示部とを有し、
前記格納サーバは、
前記端末から送信されてきた再生データを前記データ格納領域に格納するデータ格納部と、
前記再生データを前記データ再生装置へ送信するように前記端末から指示された場合、該再生データを前記データ再生装置へ送信する再生指示部とを有し、
前記データ再生装置は、前記格納サーバにおけるデータ格納領域を管理しており、
前記格納サーバにおけるデータ格納領域と前記端末とを対応付けて記憶する記憶部と、
前記割当要求信号を前記端末から受信した場合、管理するデータ格納領域のなかから前記端末に割り当てるデータ格納領域を決定して前記記憶部に記憶させる領域割当部と、
前記端末に割り当てるデータ格納領域を含む、前記割当要求信号に対する応答である前記返信信号を作成して前記端末に送信する格納先情報生成部と、
前記格納サーバから送信されてきた再生データを再生する再生部とを有することを特徴とするデータ再生システム。
【請求項７】
格納サーバと、前記格納サーバに前記再生データを登録する端末と、前記格納サーバにおけるデータ格納領域と前記端末とを対応付けて記憶する記憶部を備え、前記格納サーバにおけるデータ格納領域を管理するデータ再生装置と、が接続されたデータ再生システムにおけるデータ再生方法であって、
前記端末で行われる、前記データ再生装置に対して、前記データ再生装置に再生させる再生データを格納するデータ格納領域を割当てることを要求する割当要求信号を送信する割当要求処理と、
前記データ再生装置で行われる、
前記割当要求信号を前記端末から受信した場合、管理するデータ格納領域のなかから前記端末に割り当てる前記データ格納領域を決定して前記記憶部に記憶させる領域割当処理と、
前記端末に割り当てるデータ格納領域を含む、前記割当要求信号に対する応答である返信信号を作成して前記端末に送信する格納先情報生成処理と、
前記端末で行われる、前記返信信号を受信した後に、該返信メール中に示されている前記データ格納領域を指定する入力を受け付けると、前記データ格納領域へ前記再生データを送信するデータ送信処理と、
前記格納サーバで行われる、前記端末から送信されてきた再生データを前記データ格納領域に格納するデータ格納処理と、
前記端末で行われる、前記格納サーバに対して、前記データ格納領域に格納されている前記再生データを前記データ再生装置へ送信する指示を行う処理と、
前記格納サーバで行われる、前記再生データを前記データ再生装置へ送信するように前記端末から指示された場合、該再生データを前記データ再生装置へ送信する再生指示処理と、
前記データ再生装置で行われる、前記格納サーバから送信されてきた再生データを再生する再生処理とを有するデータ再生方法。
【請求項８】
格納サーバと、前記格納サーバに再生データを登録する端末とに接続されるデータ再生装置に、
前記格納サーバにおけるデータ格納領域と前記端末とを対応付けて記憶する記憶手順と、
前記格納サーバにおけるデータ格納領域を管理し、前記データ格納領域を割当てることを要求する割当要求信号を前記端末から受信した場合、管理するデータ格納領域のなかから前記端末に割り当てるデータ格納領域を決定して前記記憶部に記憶させる領域割当手順と、
前記端末に割り当てるデータ格納領域を含む、前記割当要求信号に対する応答である返信信号を作成して前記端末に送信する格納先情報生成手順と、
前記格納サーバから送信されてきた再生データを再生する再生手順とを実行させるプログラム。
【発明の詳細な説明】
【技術分野】
【０００１】
本発明は、データ再生システム、データ再生装置、端末、データ再生方法およびプログラムに関する。
【背景技術】
【０００２】
映像データをスクリーンなどへ投影するプロジェクタには、近年、ネットワークとの接続機能を有するものが普及されてきている。【０００３】
このようなプロジェクタが具備されたシステムにおいては、投影される映像データを格納サーバに格納しておき、ネットワークを介して当該プロジェクタと接続された端末からの指示により、当該プロジェクタが格納サーバから映像データを取得して投影する。【０００４】
例えば、特許公開２００７−２４１２９９号公報に開示される技術では、まず、端末の利用者は、特定のＵＲＬが付与された格納サーバへ映像データを格納する。続いて、利用者は、端末から当該ＵＲＬをプロジェクタへ送信する。プロジェクタは、当該ＵＲＬが示す格納サーバ上のデータ格納領域から映像データをダウンロードし、この映像データによる映像を投影する。【０００５】
しかしながら、特許公開２００７−２４１２９９号公報に開示された技術によれば、端末の利用者は、端末を用いて格納サーバに映像データを格納させる際、端末から格納サーバへ映像データを送信するために格納サーバに付与されたＵＲＬを端末に入力しなければならない。また、この技術によれば、端末からプロジェクタへ格納サーバに付与されたＵＲＬを送信する際にも、端末の利用者は当該ＵＲＬを端末に入力しなければならない。そのため、ネットワークを介してデータをプロジェクタに投影させる際の、利用者への負担が大きなものとなってしまうという問題点がある。【０００６】
また、複数の端末が同一の格納サーバを介して映像データを使用可能である場合には、端末毎の映像データの秘匿性が脆弱なものとなってしまうという問題点がある。
【発明の開示】
【０００７】
本発明は、上述した課題を解決するデータ再生システム、データ再生装置、端末、データ再生方法およびプログラムを提供することを目的とする。
【０００８】
上記課題を解決するために、本発明のデータ再生システムは、格納サーバと、データ再生装置と、前記格納サーバに前記再生データを登録する端末と、が接続されたデータ再生システムにおいて、
前記端末は、
前記データ再生装置に対して、前記格納サーバに、前記データ再生装置が再生する再生データを格納するデータ格納領域を割当てることを要求する割当要求信号を送信する割当要求部と、
前記割当要求信号に対する前記データ再生装置からの返信信号を受信した後に、該返信信号に示されている前記データ格納領域を指定する入力を受け付けると、前記データ格納領域へ前記再生データを送信するデータ送信部と、
前記格納サーバに対して、前記データ格納領域に格納されている前記再生データを前記データ再生装置へ送信する指示を行う送信指示部とを有し、
前記格納サーバは、
前記端末から送信されてきた再生データを前記データ格納領域に格納するデータ格納部と、
前記再生データを前記データ再生装置へ送信するように前記端末から指示された場合、該再生データを前記データ再生装置へ送信する再生指示部とを有し、
前記データ再生装置は、前記格納サーバにおけるデータ格納領域を管理しており、
前記格納サーバにおけるデータ格納領域と前記端末とを対応付けて記憶する記憶部と、
前記割当要求信号を前記端末から受信した場合、管理するデータ格納領域のなかから前記端末に割り当てるデータ格納領域を決定して前記記憶部に記憶させる領域割当部と、
前記端末に割り当てるデータ格納領域を含む、前記割当要求信号に対する応答である前記返信信号を作成して前記端末に送信する格納先情報生成部と、
前記格納サーバから送信されてきた再生データを再生する再生部とを有する。
【０００９】
上記課題を解決するために、本発明のデータ再生装置は、格納サーバと、前記格納サーバに再生データを登録する端末とに接続されるデータ再生装置であって、
前記格納サーバにおけるデータ格納領域と前記端末とを対応付けて記憶する記憶部と、
前記格納サーバにおけるデータ格納領域を管理し、前記データ格納領域を割当てることを要求する割当要求信号を前記端末から受信した場合、管理するデータ格納領域のなかから前記端末に割り当てるデータ格納領域を決定して前記記憶部に記憶させる領域割当部と、
前記データ格納領域を含む、前記割当要求信号に対する応答である返信信号を作成して前記端末に送信する格納先情報生成部と、
前記格納サーバから送信されてきた再生データを再生する再生部とを有する。
【００１１】
上記課題を解決するために、本発明のデータ再生方法は、格納サーバと、前記格納サーバに前記再生データを登録する端末と、前記格納サーバにおけるデータ格納領域と前記端末とを対応付けて記憶する記憶部を備え、前記格納サーバにおけるデータ格納領域を管理するデータ再生装置と、が接続されたデータ再生システムにおけるデータ再生方法であって、
前記端末で行われる、前記データ再生装置に対して、前記データ再生装置に再生させる再生データを格納するデータ格納領域を割当てることを要求する割当要求信号を送信する割当要求処理と、
前記データ再生装置で行われる、
前記割当要求信号を前記端末から受信した場合、管理するデータ格納領域のなかから前記端末に割り当てる前記データ格納領域を決定して前記記憶部に記憶させる領域割当処理と、
前記データ格納領域を含む、前記割当要求信号に対する応答である返信信号を作成して前記端末に送信する格納先情報生成処理と、
前記端末で行われる、前記返信信号を受信した後に、該返信メール中に示されている前記データ格納領域を指定する入力を受け付けると、前記データ格納領域へ前記再生データを送信するデータ送信処理と、
前記格納サーバで行われる、前記端末から送信されてきた再生データを前記データ格納領域に格納するデータ格納処理と、
前記端末で行われる、前記格納サーバに対して、前記データ格納領域に格納されている前記再生データを前記データ再生装置へ送信する指示を行う処理と、
前記格納サーバで行われる、前記再生データを前記データ再生装置へ送信するように前記端末から指示された場合、該再生データを前記データ再生装置へ送信する再生指示処理と、
前記データ再生装置で行われる、前記格納サーバから送信されてきた再生データを再生する再生処理とを有する。
【００１２】
また、コンピュータに実行させるプログラムであって、格納サーバと、前記格納サーバに再生データを登録する端末とに接続され、該格納サーバにおけるデータ格納領域を管理するとともに該格納サーバから送られてきた前記再生データを再生するデータ再生装置に、
前記格納サーバにおけるデータ格納領域を管理する管理手順と、
前記データ格納領域を割当てることを要求する前記電子メールを前記端末から受信した場合、前記管理手順にて管理しているデータ格納領域のなかから前記データ格納領域を割り当て、該データ格納領域の表示を含む前記返信電子メールを作成して前記端末に送信する領域割当手順と、
前記格納サーバから送信されてきた再生データを再生する再生手順とを実行させる。
【００１４】
本発明によれば、まず、端末が、データ記憶用の領域の割当をプロジェクタへ要求する。プロジェクタは、領域の割当を端末が要求した場合、格納サーバ上の領域を割当てる。続いて、プロジェクタは、該領域を示す格納先情報を生成し、その格納先情報を端末へ送信する。端末は、格納先情報が示す領域へ接続し、データをアップロードする。そして、プロジェクタは、当該領域に記憶されているデータが格納サーバから送信されてきた場合、該データを再生する。
【００１５】
このように、本発明によれば、端末は、割当要求信号をプロジェクタへ送信するだけで、該端末専用に割当てられたデータ記憶用の領域を示す格納先情報を取得できる。そして、該格納先情報を取得した端末のみが上記の領域へデータのアップロードを行う。プロジェクタは、該領域に記憶されているデータが格納サーバから送信されてきた場合、該データを再生する。
【００１６】
このような構成としたため、端末の利用者が格納先情報を入力することなく格納サーバへデータを容易に記憶させることができるとともに、端末により使用されるデータの秘匿性を向上させることができる。
【図面の簡単な説明】
【００１７】
【図１】本発明の実施形態１に従ったデータ再生システムの構成を示す図である。
【図２】図１に示したプロジェクタの構成を示す図である。
【図３】（ａ）端末からプロジェクタへ送信される電子メールのデータ構造の一例を示す図である。（ｂ）プロジェクタから端末へ送信される返信メールのデータ構造の一例を示す図である。
【図４】（ａ）図２に示した格納先割当情報のデータ構造の一例を示す図である。（ｂ）図２に示した格納先候補情報のデータ構造の一例を示す図である。
【図５】（ａ）アドレス通知画面の画面構成の第１の例を示す図である。（ｂ）アドレス通知画面の画面構成の第２の例を示す図である。
【図６】図１に示した端末の構成を示す図である。
【図７】操作画面の画面構成の一例を示す図である。
【図８】図１に示した格納サーバの構成を示す図である。
【図９】図８に示した記憶部の構造を示す図である。
【図１０】実施形態１のデータ再生システムにて、データを再生するときの動作を示すシーケンス図である。
【図１１】実施形態２のプロジェクタの構成を示す図である。
【図１２】実施形態２のデータ再生システムにて送受信されるデータの流れの第１の例を示す図である。
【図１３】実施形態２の端末の構成を示す図である。
【図１４】実施形態２のデータ再生システムにて、データを再生するときの動作を示すシーケンス図である。
【図１５】実施形態２のデータ再生システムにて送受信されるデータの流れの第２の例を示す図である。
【図１６】実施形態２のデータ再生システムにて送受信されるデータの流れの第３の例を示す図である。
【発明を実施するための最良の形態】
【００１８】
（実施形態１）
以下、本発明の実施形態１に従ったデータ再生システム（データ再生装置、端末、データ再生方法およびプログラムを含む）を説明する。【００１９】
なお、以下においては、本発明のデータ再生装置を、映像データなどの再生を行うプロジェクタに適用する。しかしながら、本発明のデータ再生装置は、音声データを再生する音声再生装置に適用することも可能である。【００２０】
まず、データ再生システムの全体構成を説明する。【００２１】
図１に示すように、本データ再生システムは、プロジェクタ１と、端末２と、メールサーバ３と、格納サーバ４−１〜４−Ｎと、ネットワーク５とを有する。【００２２】
なお、この説明例では、プロジェクタ１には電子メールアドレスＭＡ１（「ａｂｃ＠ＡＢＣ．ｃｏｍ」）が付与されており、端末２には電子メールアドレスＭＡ２（「ｘｙｚ＠ＸＹＺ．ｃｏｍ」）が付与されている。【００２３】
プロジェクタ１は、映像などのデータＤＴを再生する「データ再生装置」である。【００２４】
プロジェクタ１は、端末２から送信された電子メールＥＭ２を受信する。【００２５】
ここでいう電子メールＥＭ２は、データ格納領域ＲＤの割当を要求するための「割当要求信号」としての役割を果たす。【００２６】
また、「データ格納領域ＲＤ」とは、端末２のみがデータＤＴを記憶させることが可能な格納サーバ４−１〜４−Ｎ上の「領域」である。【００２７】
なお、プロジェクタ１には、格納サーバ４−１〜４−Ｎそれぞれがデータを記憶可能な各記憶領域のうちの一部（割当可能領域ＡＳＮ−１〜ＡＳＮ−Ｎ）が割当てられている。【００２８】
ここで、「割当可能領域ＡＳＮ−１〜ＡＳＮ−Ｎ」とは、格納サーバ４−１〜４−Ｎが具備する記憶領域のうちで、端末２専用のデータ格納領域ＲＤとしてプロジェクタ１が割当てることが可能な領域である。格納サーバ４−１〜４−Ｎそれぞれが、割当可能領域ＡＳＮ−１〜ＡＳＮ−Ｎをプロジェクタ１へ個別に割当てる方法については特に限定しない。【００２９】
なお、プロジェクタ１の台数が複数である場合、格納サーバ４−１〜４−Ｎは、各プロジェクタ１ごとに割当可能領域ＡＳＮ−１〜ＡＳＮ−Ｎを割当てる。より具体的には、２台のプロジェクタ１−１および１−２が存在する場合、格納サーバ４−１は、プロジェクタ１−１に割当可能領域ＡＳＮ−１−１を割当て、プロジェクタ１−２に割当可能領域ＡＳＮ−１−２を割当てる。残りの格納サーバ４−２〜４−Ｎについても、格納サーバ４−１と同様である。【００３０】
また、プロジェクタ１は、電子メールＥＭ２の送信元である端末２から以前に電子メールを受信したことがあるかどうかを判別する。【００３１】
ここで、端末２から以前に電子メールＥＭ２を受信したことがないとプロジェクタ１が判別した場合には、該端末２に対して以前にデータ格納領域ＲＤが割当てられていないことに相当する。そのため、プロジェクタ１は、割当可能領域ＡＳＮ−１〜ＡＳＮ−Ｎの未使用領域の少なくとも一部を、データ格納領域ＲＤとして当該端末２へ新たに割当てる。【００３２】
また、プロジェクタ１は、電子メールＥＭ２の送信元である端末２から以前に電子メールを受信したことがあると判別した場合、該端末２へ以前に割当てたデータ格納領域ＲＤを、今回のデータ格納領域ＲＤとして割当てる。【００３３】
また、プロジェクタ１は、割当てたデータ格納領域ＲＤを示す「格納先情報」を生成する。【００３４】
そして、プロジェクタ１は、生成した「格納先情報」を含んだ返信メールＲＴ（「返信電子メール」）を端末２へ送信する。【００３５】
ここで、「格納先情報」は、データＤＴの格納先を端末２にて認識することができる情報であればよい。ここでは、格納先情報が「ＵＲＬ（Uniform  Resource  Locator）」である場合を例に挙げて説明する。【００３６】
なお、この説明例では、格納サーバ４−１〜４−Ｎごとに、「ｗｗｗ．ｄａｔａ−ｓｅｒｖｅｒ１．ｃｏｍ」〜「ｗｗｗ．ｄａｔａ−ｓｅｒｖｅｒＮ．ｃｏｍ」というＵＲＬがそれぞれ付与されている。【００３７】
また、この例では、格納サーバ４−１〜４−Ｎがプロジェクタ１へ割り当てた各割当可能領域ＡＳＮ−１〜ＡＳＮ−Ｎには、「ｗｗｗ．ｄａｔａ−ｓｅｒｖｅｒ１．ｃｏｍ／ａｓｎ１」〜「ｗｗｗ．ｄａｔａ−ｓｅｒｖｅｒＮ．ｃｏｍ／ａｓｎＮ」というＵＲＬがそれぞれ付与されている。【００３８】
さらに、この例では、割当可能領域ＡＳＮ−１〜ＡＳＮ−Ｎそれぞれは、任意の数のＵＲＬで識別される領域を有している。【００３９】
より具体的には、例えば、割当可能領域ＡＳＮ−１であれば、ＵＲＬ１−１（ｗｗｗ．ｄａｔａ−ｓｅｒｖｅｒ１．ｃｏｍ／ａｓｎ１／ｄｓｐ−ｄａｔａ１）や、ＵＲＬ１−２（ｗｗｗ．ｄａｔａ−ｓｅｒｖｅｒ１．ｃｏｍ／ａｓｎ１／ｄｉｓｐ−ｄａｔａ２）などのＵＲＬで識別される領域を有する。【００４０】
また、例えば、割当可能領域ＡＳＮ−２であれば、ＵＲＬ２−１（ｗｗｗ．ｄａｔａ−ｓｅｒｖｅｒ２．ｃｏｍ／ａｓｎ２／ｄｓｐ−ｄａｔａ１）などのＵＲＬで識別される領域を有する。【００４１】
プロジェクタ１は、端末２がデータ格納領域ＲＤの割当を要求した場合、上述のＵＲＬ（例えば、ＵＲＬ１−１，ＵＲＬ１−２，ＵＩＲＬ２−１など）で識別される領域を、データ格納領域ＲＤとして割当てる。【００４２】
さらに、プロジェクタ１は、データ格納領域ＲＤに記憶されているデータＤＴが格納サーバ４−１〜４−Ｎから送信されてきた場合、当該データＤＴを再生する。【００４３】
端末２は、ＰＣ（Personal  Computer）などの情報処理装置、または、携帯型電子装置（例えば、携帯電話機、ＰＨＳ（Personal  Handyphone  System）、ＰＤＡ（Personal  Digital  Assistants））で構成される。端末２の台数は「１」に限らず、複数でもよい。【００４４】
端末２は、プロジェクタ１へ電子メールＥＭ２（割当要求信号）を送信する。【００４５】
また、端末２は、電子メールＥＭ２に対してプロジェクタ１から送信された返信メールＲＴを受信する。この返信メールＲＴには、端末２専用に割当てられたデータ格納領域ＲＤを示すＵＲＬが含まれている。【００４６】
また、端末２は、プロジェクタ１から送信されてきたＵＲＬが示す格納サーバ４−１〜４−Ｎ上のデータ格納領域ＲＤへ接続する。【００４７】
当該接続を要求する際、端末２では、ＵＲＬのワンクリック操作を利用者が行うだけで、その要求が可能である。【００４８】
なお、端末２がデータ格納領域ＲＤへ接続する際、端末２に対する認証を格納サーバ４−１〜４−Ｎが行うようにしてもよい。当該認証が所定の証明情報（例えば、パスワードや電子証明書）を用いて認証を行う方式であれば、プロジェクタ１から端末２への返信メールＲＴに当該証明情報を付加するようにすればよい。【００４９】
また、端末２は、接続したデータ格納領域ＲＤへ、プロジェクタ１に再生させるデータＤＴ（例えば、映像データ）を送信（アップロード）する。なお、データＤＴは「再生データ」である。【００５０】
また、端末２は、データ格納領域ＲＤへ接続した状態において、データ格納領域ＲＤへ送信したデータＤＴの一覧表示や、プロジェクタ１の再生制御（例えば、プロジェクタ１に再生させるデータＤＴの変更）を実行可能である。この説明例では、当該一覧表示や再生制御の際、端末２の利用者は、格納サーバ４−１〜４−Ｎの操作画面表示機能によって表示される後述の操作画面ＯＰを介して操作する。【００５１】
また、端末２は、該端末２専用のデータ格納領域ＲＤを有する格納サーバ４−１〜４−Ｎへ「送信指示信号ＳＮＤ」を送信する。【００５２】
「送信指示信号ＳＮＤ」とは、データ格納領域ＲＤに記憶されているデータＤＴをプロジェクタ１へ送信するよう指示する信号である。【００５３】
メールサーバ３は、電子メール配信機能を有する一般的なサーバでよい。【００５４】
格納サーバ４−１〜４−Ｎそれぞれは、端末２から送信されてきたデータＤＴを、該端末２へ割当てられたデータ格納領域ＤＴに記憶する。格納サーバ４−１〜４−Ｎの台数「Ｎ」は、１以上であれば任意でよい。【００５５】
なお、格納サーバ４−１〜４−Ｎは、端末２から送信指示信号ＳＮＤが送信されてきた場合、送信指示信号ＳＮＤによって指定されたデータＤＴと、「再生指示信号ＤＳＰ」とをプロジェクタ１へ送信する。【００５６】
ここでいう「再生指示信号ＤＳＰ」とは、格納サーバ４−１〜４−Ｎがプロジェクタ１へ送信したデータＤＴの再生を指示する信号である。プロジェクタ１は、格納サーバ４−１〜４−Ｎから再生指示信号ＤＳＰが送信されてきた場合、該再生指示信号ＤＳＰとともに送信されてきたデータＤＴを再生する。【００５７】
ネットワーク５は、プロジェクタ１と、端末２と、メールサーバ３と、格納サーバ４−１〜４−Ｎとを相互に接続する。ネットワーク５と、プロジェクタ１、端末２、メールサーバ３または格納サーバ４−１〜４−Ｎとの間の接続形態は、有線接続または無線接続のいずれでもよい。【００５８】
つぎに、プロジェクタ１の構成について詳細に説明する。【００５９】
図２に示すように、プロジェクタ１は、通信部１１と、記憶部１２と、入力部１３と、アドレス通知部１４と、送信元判別部１５と、領域割当部１６と、格納先情報生成部１７と、送信元登録部１８と、再生部１９とを有する。【００６０】
通信部１１は、端末２、メールサーバ３、または、格納サーバ４−１〜４−Ｎそれぞれと任意のデータを送受信する。【００６１】
例えば、通信部１１は、図３（ａ）に例示する電子メールＥＭ２（割当要求信号）を端末２から受信する。電子メールＥＭ２のヘッダと本文との少なくとも一方には、データ格納領域ＲＤの割当要求を示す割当要求フラグＦＧが記述されている。【００６２】
また、通信部１１は、図３（ｂ）に例示する返信メールＲＴを端末２へ送信する。この返信メールＲＴには、端末２へ割当てられたデータ格納領域ＲＤを示す格納先情報（ＵＲＬ）が含まれている。【００６３】
なお、図３（ｂ）の例では、格納サーバ４−１上の割当可能領域ＡＳＮ−１に含まれている、図１に示したＵＲＬ１−１で識別される領域が、データ格納領域ＲＤとして端末２へ割当てられている。【００６４】
また、図２に示した通信部１１は、データＤＴの再生を指示する再生指示信号ＤＳＰと、当該データＤＴとを格納サーバ４−１〜４−Ｎから受信する。【００６５】
記憶部１２は、例えば、メモリで構成され、任意のデータを記憶する。【００６６】
記憶部１２は、例えば、格納先割当情報１２１と、格納先候補情報１２２とを記憶する。【００６７】
図４（ａ）に示すように、格納先割当情報１２１は、「送信元識別情報ＩＤ」と、データ格納領域ＲＤを示す格納先情報（ＵＲＬ）とを対応付ける情報である。【００６８】
「送信元識別情報ＩＤ」とは、プロジェクタ１に対して電子メールＥＭ２を以前に送信してきたことのある端末２それぞれを識別するための情報である。【００６９】
送信元識別情報ＩＤは、電子メールＥＭ２を以前に送信した端末２を識別できる情報であればよい。以下の例では、送信元識別情報ＩＤは、端末２に付与されている「電子メールアドレスＭＡ２」（ｘｙｚ＠ＸＹＺ．ｃｏｍ）である。【００７０】
なお、図４（ａ）の例では、端末２がデータ格納領域ＲＤへ接続するために使用するべきプロトコル（例えば、ＨＴＴＰ（HyperText  Transfer  Protocol））を含めてＵＲＬを記述している。【００７１】
図２に示した格納先候補情報１２２は、プロジェクタ１がデータ格納領域ＲＤとして端末２へ割当可能な、格納サーバ４−１〜４−Ｎにおける割当可能領域ＡＳＮ−１〜ＡＳＮ−Ｎの未使用領域を示す情報である。【００７２】
なお、格納先候補情報１２２は、プロジェクタ１がデータ格納領域ＲＤとして端末２へ割当可能な未使用領域を識別することができる情報であればよい。【００７３】
この説明例では、図４（ｂ）に示すように、格納先候補情報１２２には、格納サーバ４−１〜４−Ｎ上の割当可能領域ＡＳＮ−１〜ＡＳＮ−Ｎの未使用領域に含まれる所定領域に付与されたＵＲＬ（例えば、ＵＲＬ１−１など）が記憶されている。【００７４】
図２に示した入力部１３は、利用者が行う操作に応じたデータの入力を受付け、当該入力に応じた操作信号を出力する。【００７５】
アドレス通知部１４は、入力部１３に対する利用者の操作に応じて、プロジェクタ１に付与されている電子メールアドレスＭＡ１の表示を指示する「アドレス表示指示信号」を再生部１９へ出力する。【００７６】
なお、アドレス通知部１４は、通信部１１を介して、端末２から送信されてきた「アドレス送信要求信号」を取得してもよい。そして、通信部１１は、該アドレス送信要求信号に応じて、プロジェクタ１の電子メールアドレスＭＡ１を端末２へ送信してもよい。【００７７】
送信元判別部１５は、端末２から電子メールＥＭ２が送信されてきた場合、送信元判別処理を実行する。【００７８】
送信元判別処理にて、送信元判別部１５は、当該電子メールＥＭ２の送信元の電子メールアドレスＭＡ２と、格納先情報とが格納先割当情報１２１にて対応付けて記憶されているかどうかを判別する。【００７９】
つまり、送信元判別部１５は、電子メールアドレスＭＡ２が付与された端末２に対して、データ格納領域ＲＤがすでに割当てられているかどうかを判別する。【００８０】
領域割当部１６は、「領域割当処理」を実行し、格納先候補情報１２２に基づいて、端末２に対して、割当可能領域ＡＳＮ−１〜ＡＳＮ−Ｎのうちからデータ格納領域ＲＤを割当てる。【００８１】
電子メールアドレスＭＡ２と格納先情報とが格納先割当情報１２１にて対応付けて記憶されていないと送信元判別部１５が判別した場合、領域割当部１６は、端末２に対して新規のデータ格納領域ＲＤを割当てる。【００８２】
また、領域割当部１６は、新規のデータ格納領域ＲＤを端末２へ割当てた場合、当該端末２と該端末２へ割当てたデータ格納領域ＲＤとを対応付けて格納先情報１２１に記憶させる。【００８３】
また、電子メールアドレスＭＡ２と格納先情報とが格納先割当情報１２１にて対応付けて記憶されていると送信元判別部１５が判別した場合、領域割当部１６は、電子メールアドレスＭＡ２と対応付けられているＵＲＬを端末２へ再度割当てる。【００８４】
なお、プロジェクタ１に対して電子メールＥＭ２を送信した端末２−１〜２−Ｍの台数「Ｍ」が複数である場合、領域割当部１６は、端末２−１〜２−Ｍごとにデータ格納領域ＲＤ−１〜ＲＤ−Ｍを割当てる。【００８５】
また、データ格納領域ＲＤの割当の際、領域割当部１６は、データ格納領域ＲＤの所在を示すＵＲＬ（例えば、格納サーバ４−１〜４−Ｎにおけるフォルダ名）を決定する。領域割当部１６が定めるＵＲＬとは、例えば、図３（ｂ）に示した返信メールＲＴ内のＵＲＬ１−１（ｈｔｔｐ：／／ｗｗｗ．ｄａｔａ−ｓｅｒｖｅｒ１．ｃｏｍ／ａｓｎ１／ｄｓｐ−ｄａｔａ１）である。【００８６】
さらに、領域割当部１６（「管理部」）は、「管理処理」を実行し、データ格納領域ＲＤを割当てることが可能な割当可能領域ＡＳＮ−１〜ＡＳＮ−Ｎそれぞれを管理する。【００８７】
例えば、領域割当部１６（管理部）は、端末２へのデータ格納領域ＲＤを割当てた際、図４（ｂ）に示した格納先候補情報１２２が示す割当可能領域ＡＳＮ−１〜ＡＳＮ−Ｎの未使用領域のうちから、該割当てたデータ格納領域ＲＤについての記述を除外する。【００８８】
格納先情報生成部１７は、領域割当部１６と協働して、領域割当部１６が割当てたデータ格納領域ＲＤを示すＵＲＬを含んだ返信メールＲＴを生成する。通信部１１は、格納先情報生成部１７が生成した返信メールＲＴを、電子メールＥＭ２の送信元である端末２へ送信する。【００８９】
なお、本発明のデータ再生システムでは、端末２がデータ格納領域ＲＤへの接続を要求した際に、格納サーバ４−１〜４−Ｎが端末２の認証を行うように構成してもよい。【００９０】
認証を行う場合、格納先情報生成部１７（「認証情報生成部」）は、格納サーバ４−１〜４−Ｎが端末２を認証する際に用いる所定の認証情報（例えば、パスワードや電子証明書）を生成する機能を有していてもよい。なお、格納先情報生成部１７（認証情報生成部）が生成する認証情報は、プロジェクタ１が、格納サーバ４−１〜４−Ｎからあらかじめ取得した認証情報でもよい。そして、格納先情報生成部１７（認証情報生成部）は、通信部１１と協働して、格納先情報を含んだ返信メールＲＴとともに該認証情報を端末２へ送信すればよい。【００９１】
送信元登録部１８は、電子メールＥＭ２の送信元を示す電子メールアドレスＭＡ２と、領域割当部１６が割当てたデータ格納領域ＲＤを示すＵＲＬとを対応付けて格納先割当情報１２１へ記憶させる。【００９２】
再生部１９は、「再生処理」を実行し、端末２の送信指示に従って格納サーバ４−１〜４−Ｎが送信してきたデータＤＴを再生する。【００９３】
再生部１９がデータＤＴを再生する形態は、スクリーン（図示せず）へデータＤＴを投影する形態に限らず、ＬＣＤ（液晶表示）パネルなどにデータＤＴを表示する形態でもよい。【００９４】
また、再生対象であるデータＤＴのデータ形式は、例えば、映像（静止画または動画）またはテキストなどを示すデータでもよい。【００９５】
さらに、再生部１９は、映像データなどを再生するに限られない。例えば、再生部１９は、データＤＴが音声データである場合、当該音声データを再生する機能を有していてもよい。【００９６】
また、再生部１９は、アドレス表示指示信号をアドレス通知部１４が出力した場合、プロジェクタ１の電子メールアドレスＭＡ１を含む「アドレス通知画面ＤＡ」を表示する。【００９７】
例えば、再生部１９は、図５（ａ）に示すアドレス通知画面ＤＡのように、ユーザ名（「ａｂｃ」）と、ドメイン名（「ＡＢＣ．ｃｏｍ」）とを組合せて表現した一般的な電子メールアドレスＭＡ１を表示する。【００９８】
また、再生部１９は、図５（ｂ）に示すアドレス通知画面ＤＡのように、電子メールアドレスＭＡ１とともに、電子メールアドレスＭＡ１を所定のコード体系に従って表現したコードＣＤ１（例えば、ＱＲ（Quick  Response）コード）をさらに表示してもよい。さらに、アドレス通知画面ＤＡには、コードＣＤ１のみを表示するようにしてもよい。【００９９】
つぎに、端末２の構成について詳細に説明する。【０１００】
図６に示すように、端末２は、通信部２１と、記憶部２２と、領域割当要求部２３と、領域接続要求部２４と、送信指示部２５と、表示部２６と、入力部２７とを有する。【０１０１】
通信部２１は、プロジェクタ１、メールサーバ３、または、格納サーバ４−１〜４−Ｎそれぞれと任意のデータを送受信する。【０１０２】
例えば、通信部２１は、プロジェクタ１へ電子メールＥＭ２（割当要求信号）を送信する。【０１０３】
また、通信部２１は、電子メールＥＭ２に対する応答としてプロジェクタ１から送信された返信メールＲＴを受信する。【０１０４】
また、通信部２１は、接続要求信号ＣＮＴを格納サーバ４−１〜４−Ｎへ送信する。【０１０５】
また、通信部２１は、接続要求信号ＣＮＴに対して格納サーバ４−１〜４−Ｎから送信された接続許可信号ＡＬＷを受信する。【０１０６】
また、通信部２１は、格納サーバ４−１〜４−Ｎと接続している間、接続している格納サーバ４−１〜４−Ｎから送信された画面定義信号ＤＥＦを受信する。ここで、画面定義信号ＤＥＦとは、操作画面ＯＰを定義する信号である。【０１０７】
また、通信部２１（「データ送信部」）は、「データ送信処理」を実行し、端末２専用に割当てられた格納サーバ４−１〜４−Ｎ上のデータ格納領域ＲＤへデータＤＴを送信する。【０１０８】
また、通信部２１は、格納サーバ４−１〜４−Ｎへ送信指示信号ＳＮＤを送信する。【０１０９】
記憶部２２は、任意のデータを記憶する。【０１１０】
例えば、記憶部２２は、データ格納領域ＲＤへ記憶させる対象となるデータＤＴを記憶する。当該データＤＴは、端末２の利用者があらかじめ作成したデータ（例えば、映像データやテキストデータ）である。【０１１１】
領域割当要求部２３は、「割当要求処理」を実行し、データ格納領域ＲＤを割当てるようにプロジェクタ１へ要求する「割当要求部」である。【０１１２】
当該割当の要求を行う際、領域割当要求部２３は、通信部２１を介して電子メールＥＭ２（割当要求信号）をプロジェクタ１へ送信する。【０１１３】
領域接続要求部２４は、データ格納領域ＲＤへの接続を、該データ格納領域ＲＤを有する格納サーバ４−１〜４−Ｎへ要求する。当該接続を要求する際、領域接続要求部２４は、通信部２１を介して「接続要求信号ＣＮＴ」を格納サーバ４−１〜４−Ｎへ送信する。【０１１４】
なお、端末２が接続を要求した際、格納サーバ４−１〜４−Ｎが端末２の認証を行ってもよい。この場合、領域接続要求部２４（「接続要求部」）は、接続要求信号ＣＮＴとともにプロジェクタ１からの証明情報を格納サーバ４−１〜４−Ｎへ送信する。【０１１５】
送信指示部２５は、データ格納領域ＲＤ内のデータＤＴを指定し、指定したデータＤＴをプロジェクタ１へ送信することを格納サーバ４−１〜４−Ｎへ指示する。当該指示を行う際、送信指示部２５は、通信部２１を介して「送信指示信号ＳＮＤ」を格納サーバ４−１〜４−Ｎへ送信する。【０１１６】
表示部２６は、任意のデータを表示する。例えば、格納サーバ４−１〜４−Ｎにより提供された操作画面ＯＰを表示する。操作画面ＯＰの画面形態は任意であり、例えば、一般的なＧＵＩ（Graphical  User  Interface）などでよい。【０１１７】
図７に示すように、操作画面ＯＰは、端末２が現在接続しているデータ格納領域ＲＤのＵＲＬ、データ格納領域ＲＤに記憶されているデータＤＴの名称（例えば、ファイル名）を含んでいてもよい。なお、データ格納領域ＲＤ内のデータＤＴの名称を表示するに代えて、データＤＴの縮小映像を表示するサムネイル表示機能を設けてもよい。【０１１８】
さらに、操作画面ＯＰは、プロジェクタ１にて現在再生しているデータＤＴの名称、再生させる映像を変更するためのソフトキー（順送りや逆送り）などを含んでいてもよい。ここで、映像の順送りや逆送りとは、データＤＴが複数の映像で構成されている場合に、現在再生されているデータＤＴ内の映像に代えて、該データＤＴ内の他の映像を再生する処理である。【０１１９】
図６に示した入力部２７は、利用者が行う操作に応じたデータの入力を受付け、当該操作に応じた所定の指示信号を出力する。【０１２０】
例えば、入力部２７は、接続を要求するデータ格納領域ＲＤを指定するためのＵＲＬのワンクリック操作に用いられる。当該ＵＲＬのワンクリック操作が行われた場合、領域接続要求部２４は、ＵＲＬが示すデータ格納領域ＲＤを有する格納サーバ４−１〜４−Ｎへ接続要求信号ＣＮＴを送信する。【０１２１】
また、入力部２７は、操作画面ＯＰを介して、プロジェクタ１に再生させるデータＤＴを変更するために用いられる。【０１２２】
つぎに、格納サーバ４−１〜４−Ｎの構成について詳細に説明する。なお、格納サーバ４−１〜４−Ｎはそれぞれ同一の構成を有する。そのため、以下では、格納サーバ４−１の構成について説明する。【０１２３】
図８に示すように、格納サーバ４−１は、通信部４１−１と、記憶部４２−１と、データ格納部４３−１と、データ抽出部４４−１と、再生指示部４５−１と、操作画面表示部４６−１と、接続応答部４７−１とを有する。【０１２４】
通信部４１−１は、プロジェクタ１、端末２またはメールサーバ３との間で任意のデータを送受信する。【０１２５】
例えば、通信部４１−１は、端末２から送信された接続要求信号ＣＮＴを受信する。【０１２６】
また、通信部４１−１は、接続要求信号ＣＮＴに対する応答として、接続許可信号ＡＬＷを端末２へ送信する。【０１２７】
また、通信部４１−１は、端末２と接続されている間、操作画面表示部４６−１が出力した画面定義信号ＤＥＦを端末２へ送信する。【０１２８】
また、通信部４１−１は、端末２から送信されたデータＤＴを受信する。【０１２９】
また、通信部４１−１は、端末２から送信された送信指示信号ＳＮＤを受信する。【０１３０】
また、通信部４１−１は、端末２から送信指示信号ＳＮＤが送信されてきた場合、データＤＴおよび当該データＤＴの再生を指示する再生指示信号ＤＳＰをプロジェクタ１へ送信する。【０１３１】
記憶部４２−１は、任意のデータを記憶する。【０１３２】
例えば、記憶部４２−１は、端末２から送信されてきたデータＤＴをデータ格納領域ＲＤに記憶する。【０１３３】
また、図９に示すように、記憶部４２−１がデータを記憶可能な記憶領域の一部は、割当可能領域ＡＳＮ−１としてプロジェクタ１に割当てられている。プロジェクタ１は、割当可能領域ＡＳＮ−１のうちからデータ格納領域ＲＤを端末２へ割当てる。【０１３４】
また、サーバ使用領域ＳＶＲ−１は、格納サーバ４−１が使用する記憶領域である。【０１３５】
なお、プロジェクタ１には、格納サーバ４−２〜４−Ｎがそれぞれ具備する各記憶部４２−２〜４２−Ｎの記憶領域からも、割当可能領域ＡＳＮ−２〜ＡＳＮ−Ｎが割当てられている。【０１３６】
図８に示したデータ格納部４３−１は、「データ格納処理」を実行し、端末２から送信されてきたデータＤＴを、当該端末２に割当てられたデータ格納領域ＲＤへ記憶する。【０１３７】
データ抽出部４４−１は、端末２が送信指示信号ＳＮＤを送信した場合、当該端末２へ割当てられたデータ格納領域ＲＤのうちからデータＤＴを抽出する。【０１３８】
再生指示部４５−１は、「再生指示処理」を実行し、データ抽出部４４−１が抽出したデータＤＴを再生するようにプロジェクタ１へ指示する。当該再生の指示を行う際、再生指示部４５−１は、通信部４１−１を介して、データ抽出部４４−１が抽出したデータＤＴとともに再生指示信号ＤＳＰをプロジェクタ１へ送信する。【０１３９】
操作画面表示部４６−１は、端末２がデータ格納領域ＲＤへ接続している場合、図７に示した操作画面ＯＰを端末２へ提供する。当該提供の際、操作画面表示部４６−１は、通信部４１−１を介して、画面定義信号ＤＥＦを端末２へ送信する。【０１４０】
接続応答部４７−１は、端末２から接続要求信号ＣＮＴが送信されてきた場合、格納サーバ４−１への接続を端末２に許可する。当該許可を行う場合、接続応答部４７−１は、接続許可信号ＡＬＷを端末２へ送信する。【０１４１】
なお、接続応答部４７−１（「認証部」）は、端末２と格納サーバ４−１とを接続する際に所定の認証（例えば、一般的なパスワード認証など）を行ってもよい。【０１４２】
当該認証は、端末２から送信されてきた所定の証明情報（例えば、パスワードや電子証明書など）を用いて行われる。接続応答部４７−１は、端末２が認証に成功した場合に、格納サーバ４−１への接続を許可する接続許可信号ＡＬＷを端末２へ送信する。【０１４３】
なお、格納サーバ４−２〜４−Ｎは、通信部４１−２〜４１−Ｎと、記憶部４２−２〜４２−Ｎと、データ格納部４３−２〜４３−Ｎと、データ抽出部４４−２〜４４−Ｎと、再生指示部４５−２〜４５−Ｎと、操作画面表示部４６−２〜４６−Ｎと、接続応答部４７−２〜４７−Ｎとをそれぞれ有する。【０１４４】
つぎに、上記構成を有する実施形態１のデータ再生システムが、データＤＴを再生する動作を説明する。【０１４５】
なお、以下では、プロジェクタ１が、端末２に対して格納サーバ４−１におけるデータ格納領域ＲＤを割当てる場合を例に挙げて説明する。【０１４６】
図１０に示すように、ステップ６０１にて、プロジェクタ１の再生部１９は、プロジェクタ１の電子メールアドレスＭＡ１を含んだアドレス通知画面ＤＡを表示する。アドレス通知画面ＤＡの表示は、利用者による入力部１３の操作（例えば、設定スイッチなどの押下）に応じて、アドレス通知部１４がアドレス表示指示信号を出力した場合に開始される。【０１４７】
ステップ６０２にて、端末２の領域割当要求部２３は、利用者による入力部２７の操作に応じて、プロジェクタ１が表示している電子メールアドレスＭＡ１を宛先とする電子メールＥＭ２（割当要求信号）を送信する。【０１４８】
ステップ６０３にて、プロジェクタ１の通信部１１は、端末２からの電子メールＥＭ２を受信する。【０１４９】
続いて、ステップ６０４にて、送信元判別部１５は、電子メールＥＭ２の送信元の電子メールアドレスＭＡ２と、端末２に割当てられたデータ格納領域ＲＤを示すＵＲＬとが格納先割当情報１２１にて対応付けて記憶されているかどうかを判別する。【０１５０】
電子メールアドレスＭＡ２とＵＲＬとが格納先割当情報１２１にて対応付けて記憶されていないと送信元判別部１５が判別した場合、ステップ６０５にて、領域割当部１６は、格納先候補情報１２２が示す割当可能領域ＡＳＮ−１における未使用領域からデータ格納領域ＲＤを端末２へ割当てる。【０１５１】
また、領域割当部１６は、データ格納領域ＲＤの割当後、格納先候補情報１２２が示す割当可能領域ＡＳＮ−１の未使用領域のＵＲＬから、データ格納領域ＲＤとして割当てた未使用領域のＵＲＬを除外する。【０１５２】
続いて、送信元登録部１８は、電子メールＥＭ２の送信元を示す電子メールアドレスＭＡ２と、領域割当部１６が割当てたデータ格納領域ＲＤを示すＵＲＬとを対応付けて格納先割当情報１２１へ記憶させる。【０１５３】
また、格納先情報生成部１７は、端末２へ割当てたデータ格納領域ＲＤを示す格納先情報（図３（ｂ）の例では、ＵＲＬ１−１）を含む返信メールＲＴを生成する。【０１５４】
さらに、ステップ６０６にて、通信部１１は、格納先情報を含んだ返信メールＲＴを端末２へ送信する。【０１５５】
なお、端末２と格納サーバ４−１とを接続する際に、格納サーバ４−１が端末２の認証を行う場合、格納先情報生成部１７（認証情報生成部）は、当該認証に用いられる所定の証明情報（例えば、パスワードや電子証明書など）を生成する。そして、ステップ６０６にて、通信部１１は、返信メールＲＴと認証情報とを端末２へ送信する。【０１５６】
一方、ステップ６０４にて、電子メールアドレスＭＡ２と格納先情報とが対応付けて記憶されていると送信元判別部１５が判別した場合、該電子メールアドレスＭＡ２の端末２へのデータ格納領域ＲＤの割当が以前に行われていることに相当する。この場合、以前と異なるデータ格納領域ＲＤをその端末２へ新たに割当てることは不要である。【０１５７】
そのため、ステップ６０５にて、領域割当部１６は、端末２の電子メールアドレスＭＡ２と対応付けられているＵＲＬを、該端末２へ再度割当てる。もしくは、領域割当部１６は、電子メールアドレスＭＡ２と対応付けられているＵＲＬに従属するフォルダを追加で設けることにより、データ格納領域ＲＤを割当ててもよい。なお、この場合にも、ステップ６０６にて、通信部１１は、再度割当てたデータ格納領域ＲＤのＵＲＬを含んだ返信メールＲＴを端末２へ送信する。【０１５８】
ステップ６０７にて、端末２の通信部２１は、プロジェクタ１から送信されてきた返信メールＲＴを受信する。【０１５９】
その後、利用者が入力部２７を用いて、プロジェクタ１からの返信メールＲＴに含まれているＵＲＬをワンクリック等することにより該ＵＲＬを指定する。【０１６０】
このとき、ステップ６０８にて、領域接続要求部２４は、指定されたＵＲＬが示すデータ格納領域ＲＤへの接続を要求する。当該要求の際、通信部２１は、接続要求信号ＣＮＴを格納サーバ４−１へ送信する。【０１６１】
なお、端末２と格納サーバ４−１とを接続する際に、格納サーバ４−１が端末２の認証を行う場合、通信部２１は、接続要求信号ＣＮＴとともに、プロジェクタ１からの所定の証明情報（例えば、パスワードや電子証明書など）を送信する。【０１６２】
端末２からの接続要求信号ＣＮＴに対し、ステップ６０９にて、格納サーバ４−１の接続応答部４７−１は、通信部４１−１を介して、データ格納領域ＲＤへの接続を許可するための接続許可信号ＡＬＷを端末２へ送信する。【０１６３】
なお、端末２と格納サーバ４−１との接続時に端末２の認証を行う場合、ステップ６０９にて、接続応答部４７−１（認証部）は、端末２の認証を行う。【０１６４】
この場合、接続応答部４７−１（認証部）は、端末２から接続要求信号ＣＮＴとともに送信されてきた所定の証明情報（例えば、パスワードや電子証明書など）を用いて、端末２を認証する。そして、接続応答部４７−１（認証部）は、端末２の認証が成功した際に、接続許可信号ＡＬＷを端末２へ送信する。【０１６５】
接続応答部４７−１が接続許可信号ＡＬＷを送信した場合、ステップ６１０にて、操作画面表示部４６−１は、図７に示した操作画面ＯＰを端末２へ提供する。このとき、操作画面表示部４６−１は、通信部４１−１を介して画面定義信号ＤＥＦを端末２へ送信する。【０１６６】
端末２は、格納サーバ４−１によって提供される操作画面ＯＰにて、データ格納領域ＲＤへのデータＤＴの送信（アップロード）、プロジェクタ１に再生させるデータＤＴの変更などを行う。【０１６７】
ステップ６１１にて、端末２の通信部２１（データ送信部）は、格納サーバ４−１上のデータ格納領域ＲＤにデータＤＴを送信する。【０１６８】
ステップ６１２にて、格納サーバ４−１のデータ格納部４３−１は、端末２からのデータＤＴを、当該端末２に専用に割当てられたデータ格納領域ＲＤへ記憶する。【０１６９】
その後、ステップ６１３にて、端末２の送信指示部２５は、通信部２１を介して送信指示信号ＳＮＤを格納サーバ４−１へ送信する。【０１７０】
端末２が送信指示信号ＳＮＤを送信してきた場合、格納サーバ４−１のデータ抽出部４４−１は、当該端末２のデータ格納領域ＲＤに記憶されているデータＤＴを抽出する。【０１７１】
さらに、ステップ６１４にて、格納サーバ４−１の再生指示部４５−１は、通信部２１を介して、データ抽出部４４−１が抽出したデータＤＴとともに再生指示信号ＤＳＰをプロジェクタ１へ送信する。【０１７２】
格納サーバ４−１が再生指示信号ＤＳＰを送信してきた場合、ステップ６１５にて、プロジェクタ１の再生部１９は、格納サーバ４−１からのデータＤＴを再生する。【０１７３】
なお、プロジェクタ１により再生されるデータＤＴが、複数の映像を含んでいる場合、端末２の利用者は、格納サーバ４−１によって提供される操作画面ＯＰを用いて、プロジェクタ１に再生させる映像の変更（例えば、映像の順送りや逆送り）が可能である。すなわち、端末２は、プロジェクタ１と直接通信することなく、プロジェクタ１の再生制御を行うことが可能となる。【０１７４】
以上で、実施形態１のデータ再生システムがデータＤＴを再生する動作が終了する。【０１７５】
以上説明したように、本発明の実施形態１によれば、端末２は、電子メールＥＭ２をプロジェクタ１へ送信するだけで、該端末２専用に割当てられたデータ格納領域ＲＤを示す格納先情報を取得することができる。【０１７６】
これにより、端末２の利用者が、端末２からの指示によりプロジェクタ１にデータＤＴを再生させる場合に、格納サーバ４−１〜４−Ｎが有するデータ格納領域ＲＤを示すＵＲＬの入力が不要となる。そのため、ネットワーク５を介してプロジェクタ１にデータを再生させる際の、利用者に対する負担を軽減することが可能となる。【０１７７】
実施形態１によれば、プロジェクタ１は、電子メールアドレスＭＡ２を用いてデータ格納領域ＲＤの割当を要求してきた端末２を識別する。そして、プロジェクタ１は、識別した端末２のみが使用可能な格納サーバ４−１〜４−Ｎのいずれかにおけるデータ格納領域ＲＤを割当て、当該データ格納領域ＲＤからのデータＤＴのみを再生する。【０１７８】
これにより、プロジェクタ１を用いてデータＤＴを再生可能な端末を端末２のみに制限することができる。そのため、ネットワーク５を介してプロジェクタ１にデータＤＴを再生させる際のセキュリティを向上させることができ、ひいては、当該データＤＴに含まれている内容についての秘匿性を向上することができる。【０１７９】
（実施形態２）
つぎに、実施形態２のデータ再生システムについて説明する。【０１８０】
実施形態２では、端末２が、端末２が暗号化したデータＤＴを、格納サーバ４−１〜４−Ｎが有する該端末２に割当てられたデータ格納領域ＲＤへ送信する。そして、暗号化されたデータＤＴが、該データ格納領域ＲＤを有する格納サーバ４−１〜４−Ｎから送信されてきた場合、プロジェクタ１が、データＤＴへの復号化をした上で、該データＤＴを再生する。【０１８１】
実施形態２のデータ再生システムの全体構成は、図１に示した例と基本的に同じである。【０１８２】
ただし、実施形態２のデータ再生システムは、図１に示したプロジェクタ１に代えて、プロジェクタ１Ａを有している。また、実施形態２のデータ再生システムは、図１に示した端末２に代えて、端末２Ａを有している。【０１８３】
以下、実施形態２のプロジェクタ１Ａの構成について詳細に説明する。【０１８４】
図１１に示すように、プロジェクタ１Ａは、図２に示したプロジェクタ１の構成に加えて、鍵生成部１１０と、復号化部１１１とを有する。【０１８５】
鍵生成部１１０は、「鍵生成処理」を実行し、領域割当部１６がデータ格納領域ＲＤを端末２へ割当てた場合、「鍵ＫＹ」を生成する。記憶部１２は、鍵生成部１１０が生成した鍵ＫＹを記憶する。【０１８６】
ここに、「鍵ＫＹ」とは、データＤＴを暗号化したり、当該暗号化されたデータＤＴを復号化したりするために用いられる情報である。【０１８７】
なお、鍵ＫＹは、例えば、暗号化および復号化の際に同じ鍵を用いる共通鍵暗号方式における「共通鍵」でもよい。また、鍵ＫＹは、例えば、暗号化および復号化の際にそれぞれ異なる鍵を用いる公開鍵暗号方式における、暗号化用の「公開鍵」および復号化用の「秘密鍵」でもよい。【０１８８】
格納先情報生成部１７は、格納先情報を含む返信メールＲＴを生成する際、当該返信メールＲＴへ鍵生成部１１０が生成した鍵ＫＹを添付する。【０１８９】
図１２に示すように、通信部１１は、格納先情報と鍵ＫＹとを端末２Ａへ送信する。【０１９０】
図１１に示した復号化部１１１は、鍵生成部１１０が生成した鍵ＫＹを用いて、格納サーバ４−１〜４−Ｎが送信してきた暗号化されたデータＤＴを復号化する。再生部１９は、復号化部１１１が復号化したデータＤＴを再生する。【０１９１】
つぎに、実施形態２の端末２Ａの構成について詳細に説明する。【０１９２】
図１３に示すように、端末２Ａは、図６に示した端末２の構成に加えて、暗号化部２８を有する。【０１９３】
暗号化部２８は、プロジェクタ１Ａからの鍵ＫＹを用いてデータＤＴを暗号化する。【０１９４】
ここで、データＤＴの暗号化方法については、特に限定しない。例えば、ＭＤ（Message  Digest  Algorithm）、ＳＨＡ（Secure  Hash  Algorithm）などの所定のハッシュ関数を用いて暗号化する方法でもよい。【０１９５】
また、暗号化部２８は、自己が暗号化したデータＤＴを通信部２１へ出力する。【０１９６】
図１２に示したように、通信部２１は、当該暗号化されたデータＤＴを格納サーバ４−１〜４−Ｎ（図１２の例では、格納サーバ４−１）のデータ格納領域ＲＤへ送信する。【０１９７】
なお、格納サーバ４−１〜４−Ｎは、端末２Ａが送信指示信号ＳＮＤを送信した場合、データ格納領域ＲＤ内の暗号化されたデータＤＴおよび再生指示信号ＤＳＰをプロジェクタ１Ａへ送信する。【０１９８】
つぎに、上記構成を有する実施形態２のデータ再生システムが、データＤＴを再生する動作を説明する。【０１９９】
なお、実施形態１の例と同様にこの説明例においても、プロジェクタ１Ａは、端末２Ａに対して格納サーバ４−１におけるデータ格納領域ＲＤを割当てるものとする。【０２００】
実施形態２のデータ再生システムがデータＤＴを再生する動作は、実施形態１において図１０に示した動作と基本的に同一である。【０２０１】
ただし、実施形態２では、図１４に示すように、プロジェクタ１Ａの鍵生成部１１０は、領域割当部１６による格納サーバ４−１上のデータ格納領域ＲＤの割当後、ステップ７０６にて鍵ＫYを生成する。【０２０２】
また、ステップ７０７にて、プロジェクタ１Ａの通信部１１は、返信メールＲＴ（格納先情報）とともに、鍵生成部１１０が生成した鍵ＫYを端末２Ａへ送信する。【０２０３】
その後、ステップ７０９にて、端末２Ａの領域接続要求部２４は、格納サーバ４−１へ接続要求信号ＣＮＴを送信する。【０２０４】
端末２からの接続要求信号ＣＮＴに対し、ステップ７１０にて、格納サーバ４−１の接続応答部４７−１は、通信部４１−１を介して接続許可信号ＡＬＷを端末２Ａへ送信する。これにより、端末２Ａは、格納サーバ４−１上のデータ格納領域ＲＤへ接続可能となる。【０２０５】
なお、接続応答部４７−１（認証部）は、接続要求信号ＣＮＴを受信した際に端末２Ａの認証を行い、当該認証が成功した場合、端末２Ａに接続許可信号ＡＬＷを送信してもよい。【０２０６】
また、通信部４１−１から端末２Ａへ接続許可信号ＡＬＷが送信された場合、ステップ７１１にて、操作画面表示部４６−１は、図７に示した操作画面ＯＰを端末２Ａへ提供する。この際、通信部４１−１は、画面定義信号ＤＥＦを端末２Ａへ送信する。【０２０７】
データ格納領域ＲＤへの接続後、ステップ７１２にて、端末２Ａの暗号化部２８は、プロジェクタ１Ａから送信されてきた鍵ＫＹを用いて、データＤＴを暗号化する。なお、暗号化部２８は、ステップ７０９の処理（接続要求）前に、データＤＴの暗号化をあらかじめ実行してもよい。【０２０８】
さらに、ステップ７１３にて、通信部２１（データ送信部）は、暗号化部２８が暗号化したデータＤＴを、格納サーバ４−１上のデータ格納領域ＲＤへ送信する。【０２０９】
端末２Ａから送信指示信号ＳＮＤが送信されてきた場合、ステップ７１６にて、格納サーバ４−１は、データ格納領域ＲＤ内の暗号化されたデータＤＴと再生指示信号ＤＳＰとをプロジェクタ１へ送信する。【０２１０】
ステップ７１７にて、プロジェクタ１の復号化部１１１は、格納サーバ４−１からの暗号化されたデータＤＴを、記憶部１２内の鍵生成部１１０が生成した鍵ＫＹを用いて復号化する。【０２１１】
また、ステップ７１８にて、再生部１９は、復号化部１１１の復号化によって得られたデータＤＴを再生する。以上で、実施形態２のデータ再生システムがデータＤＴを再生する一連の動作が終了する。【０２１２】
実施形態２によれば、端末２Ａからデータ格納領域ＲＤへのデータＤＴの送信の間、および、データ格納領域ＲＤからプロジェクタ１ＡへのデータＤＴの送信の間、データＤＴは暗号化された状態にある。【０２１３】
そのため、当該送信中において第３者がデータＤＴを取得したことができた場合でも、第３者によりデータＤＴに含まれている内容を容易に読取られることを回避することができる。つまり、データ再生システム内の異なる筺体間でデータＤＴを送信する際の、データＤＴの秘匿性を向上させることができる。【０２１４】
なお、プロジェクタ１Ａが具備する鍵生成部１１０は、１つの鍵ＫＹを生成するに限らず、互いに異なる複数の鍵ＫＹ（例えば、２つの鍵ＫＹ１およびＫＹ２）を生成するようにしてもよい。そして、例えば、鍵ＫＹ１をデータＤＴの暗号化に用い、鍵ＫＹ２を暗号化されたデータＤＴの復号化に用いるようにしてもよい。【０２１５】
この場合、図１５に示すように、プロジェクタ１Ａの通信部１１は、電子メールＥＭ２を送信してきた端末２Ａに対して、格納先情報と、データＤＴの暗号化用の鍵ＫＹ１とを送信する。【０２１６】
格納先情報と鍵ＫＹ１とをプロジェクタ１Ａから受信した端末２Ａは、格納先情報が示す格納サーバ４−１〜４−Ｎ（図１５の例では、格納サーバ４−１）上のデータ格納領域ＲＤへ接続する。そして、端末２Ａは、鍵ＫＹ１を用いて暗号化したデータＤＴを該データ格納領域ＲＤへ送信する。【０２１７】
その後、端末２Ａから送信指示信号ＳＮＤが送信されてきた場合、格納サーバ４−１〜４−Ｎ（図１５の例では、格納サーバ４−１）は、再生指示信号ＤＳＰと、暗号化されたデータＤＴとをプロジェクタ１Ａへ送信する。【０２１８】
復号化用の鍵ＫＹ２は、鍵ＫＹ２を生成したプロジェクタ１Ａのみが記憶している。そのため、プロジェクタ１Ａのみが、暗号化されたデータＤＴの復号化を行い、当該データＤＴを再生することが可能となる。【０２１９】
また、図１６に示すように、データ再生システムは、複数のプロジェクタ１Ａ（例えば、プロジェクタ１Ａ−１および１Ａ−２）を備えていてもよい。【０２２０】
この場合、例えば、プロジェクタ１Ａ−１が具備する鍵生成部１１０−１が、複数の鍵ＫＹ１およびＫＹ２を生成する。【０２２１】
続いて、プロジェクタ１Ａ−１の通信部１１−１は、格納先情報と暗号化用の鍵ＫＹ１とを端末２Ａへ送信する。【０２２２】
また、通信部１１−１は、復号化用の鍵ＫＹ２をプロジェクタ１Ａ−２へ送信する。【０２２３】
そして、端末２Ａは、鍵ＫＹ１を用いて暗号化したデータＤＴを、格納サーバ４−１〜４−Ｎ（図１６の例では、格納サーバ４−１）にて該端末２Ａへ割当てられたデータ格納領域ＲＤへ送信する。【０２２４】
その後、該データ格納領域ＲＤを有する格納サーバ４−１〜４−Ｎ（図１６の例では、格納サーバ４−１）は、端末２Ａから送信指示信号ＳＮＤが送信されてきた場合、当該暗号化されたデータＤＴおよび再生指示信号ＤＳＰをプロジェクタ１Ａ−２へ送信する。【０２２５】
プロジェクタ１Ａ−２は、鍵ＫＹ１により暗号化されたデータＤＴを、プロジェクタ１Ａ−１からの鍵ＫＹ２を用いて復号化し、当該データＤＴを再生する。【０２２６】
なお、本発明の要旨を逸脱しない範囲で各種の変形が可能である。【０２２７】
プロジェクタ１と格納サーバ４−１〜４−Ｎとは別筺体で構成するに限られない。格納サーバ４−１〜４−Ｎがそれぞれ有する各機能をプロジェクタ１に含めることにより、プロジェクタ１と格納サーバ４−１〜４−Ｎとを１つの筺体で構成してもよい。例えば、データ格納領域ＲＤを、プロジェクタ１が具備するＨＤＤやメモリ上に直接確保するようにしてもよい。【０２２８】
プロジェクタ１が、データ格納領域ＲＤの割当（データ格納領域ＲＤを示すＵＲＬの決定）を行うに限らず、格納サーバ４−１〜４−Ｎが、当該割当を実行するようにしてもよい。【０２２９】
端末２および格納サーバ４−１〜４−Ｎには、シンクライアントにおける端末およびサーバをそれぞれ用いるようにしてもよい。シンクライアントでは、端末がサーバへネットワークを介して接続する際に、当該端末の認証がサーバにて行われる。そのため、シンクライアントが有する構成を、本発明のデータ再生システムが有する端末２および格納サーバ４−１〜４−Ｎに直接適用することが可能である。【０２３０】
端末２の台数が複数である場合（例えば、２台の端末２−１および２−２）、例えば、ある端末２−１を用いて格納先情報（ＵＲＬ）および認証情報（例えば、パスワードや電子証明書など）を受信し、他の端末２−２を用いてデータＤＴを格納サーバ４−１〜４−Ｎへ送信してもよい。また、例えば、電子メールＥＭ２−１を送信してきた端末２−１からプロジェクタ１に再生させるデータＤＴを変更するようにしてもよい。【０２３１】
また、プロジェクタ１が端末２を識別するために用いられる送信元識別情報ＩＤは、電子メールアドレスＭＡ２に限られない。電子メールアドレスＭＡ２に加えて特定の情報（例えば、端末２の利用者名）が含まれた電子証明書などを用いて、電子メールＥＭ２を送信してきた端末２を識別するようにしてもよい。【０２３２】
なお、本発明においては、プロジェクタ１内の処理は上述の専用のハードウェアにより実現されるもの以外に、その機能を実現するためのプログラムをプロジェクタ１にて読取可能な記録媒体に記録し、この記録媒体に記録されたプログラムをプロジェクタ１に読み込ませ、実行するものであってもよい。プロジェクタ１にて読取可能な記録媒体とは、フロッピーディスク（登録商標）、光磁気ディスク、ＤＶＤ、ＣＤなどの移設可能な記録媒体の他、プロジェクタ１に内蔵されたＨＤＤ等を指す。この記録媒体に記録されたプログラムは、例えば、プロジェクタ１が有するアドレス通知部１４、送信元判別部１５、領域割当部１６、格納先情報生成部１７、送信元登録部１８、再生部１９、鍵生成部１１０および復号化部１１１にて読み込まれ、アドレス通知部１４、送信元判別部１５、領域割当部１６、格納先情報生成部１７、送信元登録部１８、再生部１９、鍵生成部１１０および復号化部１１１の制御によって、上述したものと同様の処理が行われる。【０２３３】
ここで、プロジェクタ１が有するアドレス通知部１４、送信元判別部１５、領域割当部１６、格納先情報生成部１７、送信元登録部１８、再生部１９、鍵生成部１１０および復号化部１１１は、プログラムが記録された記録媒体から読み込まれたプログラムを実行するコンピュータとして動作するものである。なお、上述したプログラムは、端末２についても同様に適用可能である。【０２３４】
以上、実施形態１および２を参照して本発明を説明したが、本発明は上記実施形態１および２に限定されるものではない。本発明の構成や詳細には、本発明の要旨を逸脱しない範囲で当業者が理解し得る各種の変形が可能である。
【図１】
0005451615.tif 000002
【図２】
0005451615.tif 000003
【図３】
0005451615.tif 000004
【図４】
0005451615.tif 000005
【図５】
0005451615.tif 000006
【図６】
0005451615.tif 000007
【図７】
0005451615.tif 000008
【図８】
0005451615.tif 000009
【図９】
0005451615.tif 000010
【図１０】
0005451615.tif 000011
【図１１】
0005451615.tif 000012
【図１２】
0005451615.tif 000013
【図１３】
0005451615.tif 000014
【図１４】
0005451615.tif 000015
【図１５】
0005451615.tif 000016
【図１６】
0005451615.tif 000017